(57)【特許請求の範囲】
【請求項１】
第１の無線通信方式によりサーバーと無線通信を行う第１無線通信と、前記第１の無線通信方式とは異なる第２の無線通信方式により、車両に搭載された車載通信機器と無線通信を行う第２無線通信とを切り替えて、無線通信を行う通信装置の通信制御装置であって、
運転者の覚醒状態を示す覚醒情報を取得する取得手段と、
前記第１無線通信と前記第２無線通信との切り替えを制御する制御手段と、を備え、
前記制御手段は、前記運転者の覚醒情報に基づいて、前記運転者が居眠り状態に変化したか否かを判断し、前記運転者が居眠り状態に変化した判断した場合に、前記通信装置の無線通信を、前記第１無線通信から前記第２無線通信へと切り替えることを特徴とする通信制御装置。
【請求項２】
請求項１に記載の通信制御装置において、
前記車載通信機器は、前記運転者の顔画像を撮像する撮像機器であることを特徴とする通信制御装置。
【請求項３】
請求項１に記載の通信制御装置において、
前記車載通信機器は、前記車両の周囲の画像を撮像する撮像機器であることを特徴とする通信制御装置。
【請求項４】
請求項２または３に記載の通信制御装置において、
前記運転者の顔画像を前記運転者に提示する提示手段をさらに備えることを特徴とする通信制御装置。
【請求項５】
第１の無線通信方式によりサーバーと無線通信を行う第１無線通信と、前記第１の無線通信方式とは異なる第２の無線通信方式により、車両に搭載された車載通信装置と無線通信を行う第２無線通信とが可能な通信装置の通信制御方法であって、
前記車両の運転者の覚醒状態に基づいて、前記運転者が居眠り状態であるか否かを判断し、前記運転者が居眠り状態に変化した場合に、前記通信装置の無線通信を、前記第１無線通信から前記第２無線通信に切り替えることを特徴とする通信制御方法。
【発明の詳細な説明】
【技術分野】
【０００１】
本発明は、通信制御装置および通信制御方法に関するものである。
【背景技術】
【０００２】
従来より、車載通信装置で取得された車両の情報（たとえば車載カメラで撮像された画像データ）を、無線通信により、ユーザが車内に持ち込んだスマートフォンや携帯電話機などの携帯通信端末に送信する技術が知られている。また、このような携帯通信端末として、電話回線網を利用してサーバーと無線通信を行う第１無線通信と、ＷｉＦｉ（登録商標）規格の無線ＬＡＮなどを利用して車載通信装置と無線通信を行う第２無線通信とを切り替えて行うものが知られている（たとえば、特許文献１）。
【先行技術文献】
【特許文献】
【０００３】
【特許文献１】特開２００４−３４０８６４号公報
【発明の概要】
【発明が解決しようとする課題】
【０００４】
しかしながら、このような携帯通信端末では、第１無線通信と第２無線通信とを同時に行うことができず、従来技術では、第２無線通信により、車載通信装置から車両の情報を取得する必要がある場面においても、第１無線通信が行われてしまい、車載通信装置から車両の情報を適切に取得できない場合があった。
【０００５】
本発明が解決しようとする課題は、無線通信の切り替えを適切に行うことができる通信制御装置を提供することである。
【課題を解決するための手段】
【０００６】
本発明は、運転者が居眠り状態に変化したか否かを判断し、運転者が居眠り状態に変化した場合に、第１無線通信から第２無線通信へと切り替ることで、上記課題を解決する。
【発明の効果】
【０００７】
本発明によれば、運転者が居眠り状態に変化した場合に、第１無線通信から第２無線通信に切り替えることで、運転者が居眠りしている場面における車両の情報を、車載通信装置から適切に取得することができる。
【図面の簡単な説明】
【０００８】
【図１】本実施形態に係る通信制御システムを示す構成図である。
【図２】本実施形態に係る通信制御処理を示すフローチャートである。
【発明を実施するための形態】
【０００９】
以下、本発明の実施形態を図面に基づいて説明する。
【００１０】
図１は、本実施形態に係る通信制御システムを示す構成図である。図１に示すように、本実施形態に係る通信制御システムは、車両１に搭載された車載装置１００および車載カメラ装置２００と、車両１のユーザにより車両１の車室内に持ち込まれた携帯通信端末３００と、自車両１の外部に設置されたサーバー４００とから構成される。なお、図１においては、説明の便宜のため、車載装置１００、車載カメラ装置２００、および携帯通信端末３００をそれぞれ１つずつ例示しているが、複数の車両１に、車載装置１００、車載カメラ装置２００、および携帯通信端末３００がそれぞれ搭載されており、サーバー４００は、複数の車両１の車室内に持ち込まれた複数の携帯通信端末３００とそれぞれ情報の授受を行うことができる。
【００１１】
まず、本実施形態に係る車載装置１００について説明する。車載装置１００は、車両１に搭載されており、車両１の各種情報を検出する。また、本実施形態では、車載装置１００と車載カメラ装置２００とが有線または無線により接続されており、車載装置１００は、車載カメラ装置２００で撮像された画像を、車載カメラ装置２００から取得することができる。
【００１２】
図１に示すように、車載装置１００は、自車位置検出装置１１０、覚醒状態検出装置１６０、車載制御装置１２０、および車両側ＢＴ通信装置１３０を備えている。これらの構成は、ＣＡＮ（Controller Area Network）その他の車載ＬＡＮによって接続され、相互に情報の授受を行うことができる。また、図示していないが、車載装置１００には、ＣＡＮを介して、ナビゲーション装置や操舵センサなどの他の車載機器とも接続している。
【００１３】
自車位置検出装置１１０は、ＧＰＳユニット、ジャイロセンサ、および車速センサなどから構成されており、ＧＰＳユニットにより複数の衛星通信から送信される電波を検出して、自車両１の位置情報を、周期的に取得するとともに、取得した自車両１の位置情報と、ジャイロセンサから取得した角度変化情報と、車速センサから取得した車速とに基づいて、自車両の現在位置を検出する。自車位置検出装置１１０により検出された自車両の位置情報は、車載制御装置１２０に送信される。
【００１４】
覚醒状態検出装置１６０は、運転者の覚醒状態を検出する。たとえば、覚醒状態検出装置１６０は、車載カメラ装置２００から取得した運転者の顔画像データに基づいて、運転者の眼の開閉判定を行い、所定時間内に発生した閉眼数の積算値を算出することで、運転者の覚醒状態を検出することができる。また、覚醒状態検出装置１６０は、車載カメラ装置２００から取得した運転者の顔画像データに基づいて、運転者の表情変化の判定することで、運転者の覚醒状態を検出することもできる。この他、覚醒状態検出装置１６０は、たとえば、図示しない舵角センサにより検出されたステアリングの操舵角の時系列データについて周波数分析を行い、操舵角の時系列データの周波数成分のうち特定周波数の積分値を算出することで、運転者の覚醒状態を検出することもできる。さらに、覚醒状態検出装置１６０は、たとえば、図示しないアクセル開度センサにより検出されたストローク量の情報を取得し、取得したストローク量の情報に基づいて、運転者の覚醒状態を検出することもできる。
【００１５】
車載制御装置１２０は、自車両１の位置情報を含むプローブ情報や、運転者の覚醒状態を示す覚醒情報を携帯通信端末３００に送信するためのプログラムを格納したＲＯＭ（Read Only Memory）と、このＲＯＭに格納されたプログラムを実行するＣＰＵ（Central Processing Unit）と、アクセス可能な記憶装置として機能するＲＡＭ（Random Access Memory）とから構成される。車載制御装置１２０は、ＲＯＭに格納されたプログラムをＣＰＵにより実行することにより、プローブ情報および運転者の覚醒状態を各種機器から取得する取得機能と、プローブ情報および運転者の覚醒情報を携帯通信端末３００に送信する送信機能と、を有する。
【００１６】
車載制御装置１２０の取得機能は、自車両１の位置情報を含むプローブ情報および運転者の覚醒状態を示す覚醒情報を各種機器から取得する。具体的には、取得機能は、自車両１の位置情報を自車位置検出装置１１０から取得し、また、自車両１の車速情報を車速センサ１４０から取得する。また、取得機能は、図示しない舵角センサなどから自車両１の舵角情報などのプローブ情報も取得する。加えて、取得機能は、運転者の覚醒状態を示す覚醒情報を覚醒状態検出装置１６０から取得する。
【００１７】
車載制御装置１２０の送信機能は、車両側ＢＴ通信装置１３０を介して、取得機能により取得されたプローブ情報および運転者の覚醒情報を携帯通信端末３００に送信する。車両側ＢＴ通信装置１３０は、Ｂｌｕｅｔｏｏｔｈ（登録商標）などの通信方式により、携帯通信端末３００と無線接続を行うことで、プローブ情報を携帯通信端末３００に送信する。なお、車載装置１００と携帯通信端末３００との接続は、Ｂｌｕｅｔｏｏｔｈなどの無線接続に限定されず、車載装置１００と携帯通信端末３００とを有線接続してもよい。
【００１８】
続いて、車載カメラ装置２００について説明する。車載カメラ装置２００は、自車両１を運転する運転者の顔画像を撮像する車内カメラ２１０と自車両１の周囲の画像データを撮像する車外カメラ２４０とを有しており、撮像した運転者の顔画像と自車１の周囲の画像とを携帯通信端末３００へと送信する。具体的には、車載カメラ装置２００は、ＷｉＦｉ規格の無線ＬＡＮにより、携帯通信端末３００との間で無線通信を行うことで、撮像した画像の画像データを携帯通信端末３００に送信する。また、本実施形態においては、車載カメラ装置２００と車載装置１００とが有線または無線により接続されており、車載カメラ装置２００により撮像された画像データが、車載装置１００にも送信される。
【００１９】
図１に示すように、車載カメラ装置２００は、車内カメラ２１０と、車外カメラ２４０と、カメラ制御装置２２０と、カメラ側ＷＬＡＮ通信装置２３０と、を備えている。以下に、車載カメラ装置２００の各構成について説明する。
【００２０】
車内カメラ２１０は、自車両１のシートに着座した運転者の顔画像を撮像するように設置されており、一定の時間間隔で、運転者の顔画像を撮像する。車内カメラ２１０により撮像された運転者の顔画像データは、カメラ制御装置２２０に送信される。
【００２１】
車外カメラ２４０は、自車両１の周囲の画像を撮像するように設置されており、一定の時間間隔で、自車両１の周囲の画像を撮像する。車外カメラ２４０により撮像された自車両１の周囲の画像データは、カメラ制御装置２２０に送信される。
【００２２】
カメラ制御装置２２０は、ＲＯＭと、ＣＰＵと、ＲＡＭとから構成される。カメラ制御装置２２０は、ＲＯＭに格納されたプログラムをＣＰＵにより実行することにより、車内カメラ２１０により撮像された運転者の顔画像データおよび車外カメラ２４０により撮像された自車両１の周囲の画像データを、カメラ側ＷＬＡＮ通信装置２３０を介して、携帯通信端末３００に送信する。
【００２３】
カメラ側ＷＬＡＮ通信装置２３０は、カメラ制御装置２２０の指示により、ＷｉＦｉ規格の無線ＬＡＮにより携帯通信端末３００との間で無線通信を行うことで、車内カメラ２１０により撮像された運転者の顔画像データおよび車外カメラ２４０により撮像された自車両１の周囲の画像データを、携帯通信端末３００に送信する。
【００２４】
次に、携帯通信端末３００について説明する。携帯通信端末３００は、スマートフォン、携帯電話機、タブレットなどのユーザが携帯可能な通信機器であり、図１に示すように、ユーザが車両１を運転する際に、ユーザにより車内まで持ち込まれるものである。携帯通信端末３００は、自車両１の車内において、車載装置１００、車載カメラ装置２００、およびサーバー４００とそれぞれ情報の授受が可能となっており、車載装置１００から自車両１のプローブ情報を受信して、受信したプローブ情報をサーバー４００に送信するとともに、車載カメラ装置２００から運転者の顔画像データおよび自車両１の周囲の画像データを受信して、受信した画像データを記憶し、あるいは、携帯通信端末３００のディスプレイ画面に表示する。
【００２５】
図１に示すように、携帯通信端末３００は、端末側ＢＴ通信装置３１０と、端末側ＷＬＡＮ通信装置３２０と、端末側電話通信装置３３０と、端末制御装置３４０と、ディスプレイ３５０と、メモリ３６０とを備えている。以下に、携帯通信端末３００の各構成について説明する。
【００２６】
端末側ＢＴ通信装置３１０は、Ｂｌｕｅｔｏｏｔｈなどの通信方式により、車載装置１００と無線接続を行い、自車両１の位置情報を含むプローブ情報および運転者の覚醒状態を示す覚醒情報を車載装置１００から受信する。なお、端末側ＢＴ通信装置３１０により受信されたプローブ情報および運転者の覚醒情報は、端末制御装置３４０に送信される。
【００２７】
端末側ＷＬＡＮ通信装置３２０は、ＷｉＦｉ規格の無線ＬＡＮを利用して、車載カメラ装置２００と無線通信を行うことで、運転者の顔画像データおよび自車両１の周囲の画像データを車載カメラ装置２００から受信する。なお、端末側ＷＬＡＮ通信装置３２０により受信された画像データは、端末制御装置３４０に送信される。
【００２８】
端末側電話通信装置３３０は、電話回線網を利用して、サーバー４００と無線通信を行うことで、車載装置１００から取得したプローブ情報をサーバー４００に送信する。
【００２９】
ディスプレイ３５０は、たとえば、携帯通信端末３００が備える液晶ディスプレイなどである。本実施形態において、ディスプレイ３５０は、端末制御装置３４０の制御に基づいて、車載カメラ装置２００により撮像された運転者の顔画像を、ディスプレイ３５０が備えるディスプレイ画面に表示する。これにより、自車両１の運転者に、車載カメラ装置２００により撮像された運転者の顔画像を提示することができる。
【００３０】
端末制御装置３４０は、携帯通信端末３００の通信を制御するためのプログラムを格納したＲＯＭと、ＣＰＵと、ＲＡＭとから構成される。端末制御装置３４０は、ＲＯＭに格納されたプログラムをＣＰＵにより実行することにより、プローブ情報および運転者の覚醒情報を車載装置１００から取得する車両情報取得機能と、車載装置１００から取得したプローブ情報および車載カメラ装置２００から受信した自車両１の周囲の画像データをサーバー４００に送信する第１通信機能と、運転者の顔画像データおよび自車両１の周囲の画像データを車載カメラ装置２００から受信する第２通信機能と、無線通信の切り替えを制御する制御機能と、車載カメラ装置２００から取得した運転者の顔画像をディスプレイ３５０に表示させる表示機能と、車載カメラ装置２００から受信した自車両１の周囲の画像データをメモリ３６０に記憶する記憶機能と、運転者に警報を報知する報知機能と、を有する。
【００３１】
端末制御装置３４０の車両情報取得機能は、自車両１の位置情報を含むプローブ情報と、運転者の覚醒状態を示す覚醒情報とを車載装置１００から取得する。具体的には、車両情報取得機能は、端末側ＢＴ通信装置３１０を介して、Ｂｌｕｅｔｏｏｔｈなどの通信方式により車載装置１００と無線接続することで、プローブ情報および運転者の覚醒情報を車載装置１００から取得する。
【００３２】
端末制御装置３４０の第１通信機能は、車載装置１００から取得したプローブ情報をサーバー４００に送信する。具体的には、第１通信機能は、端末側電話通信装置３３０を介して、電話回線網を利用してサーバー４００と無線通信を行うことで、車載装置１００により検出されたプローブ情報および車載カメラ装置２００により撮像された自車両１の周囲の画像データを、サーバー４００に送信する。なお、以下においては、電話回線網を利用した、携帯通信端末３００とサーバー４００との間の無線通信を、第１無線通信として説明する。
【００３３】
端末制御装置３４０の第２通信機能は、運転者の顔画像データおよび自車両１の周囲の画像データを車載カメラ装置２００から受信する。具体的には、第２通信機能は、端末側ＷＬＡＮ通信装置３２０を介して、ＷｉＦｉ規格の無線ＬＡＮを利用して車載カメラ装置２００と無線通信を行うことで、車載カメラ装置２００により撮像された運転者の顔画像データおよび自車両１の周囲の画像データを車載カメラ装置２００から受信する。なお、以下においては、ＷｉＦｉ規格の無線ＬＡＮを利用した、携帯通信端末３００と車載カメラ装置２００との間の無線通信を、第２無線通信として説明する。
【００３４】
端末制御装置３４０の制御機能は、携帯通信端末３００において第１無線通信を行うか、第２無線通信を行うかを制御する。具体的には、制御機能は、車載装置１００から取得した運転者の覚醒情報に基づいて、運転者が居眠り状態に変化したか否かを判断する。そして、制御機能は、運転者が居眠り状態に変化したと判断した場合には、運転者の顔画像および自車両１の周囲の画像データを取得するために、サーバー４００と無線通信を行う第１無線通信から、車載カメラ装置２００から運転者の顔画像データおよび自車両１の周囲の画像データを受信する第２無線通信へと切り替える。一方、運転者が居眠り状態に変化していない場合には、自車両１のプローブ情報をサーバー４００に送信するために、電話回線網を利用してサーバー４００にプローブ情報を送信する第１無線通信を実行する。
【００３５】
なお、制御機能は、運転者が居眠り状態に変化したと判断し、第１無線通信から第２無線通信へと切り替えた後に、運転者が居眠り状態から回復した場合には、第２無線通信から第１無線通信へと切り替える。これにより、運転者が居眠り状態である場面以外では、第１無線通信によりサーバー４００にプローブ情報を送信することができる。
【００３６】
端末制御装置３４０の表示機能は、車載カメラ装置２００から受信した運転者の顔画像データをディスプレイ３５０に表示させる。具体的には、表示機能は、運転者が居眠り状態となった場合に、車載カメラ装置２００から受信した運転者の顔画像データをディスプレイ３５０に出力し、ディスプレイ３５０に、運転者の顔画像を表示させる。これにより、運転者に運転者の居眠り状態を把握させ、運転者の注意を喚起することができる。
【００３７】
端末制御装置３４０の記憶機能は、車載カメラ装置２００から受信した自車両１の周囲の画像データをメモリ３６０に記憶する。すなわち、記憶機能は、第２無線通信により、車載カメラ装置２００から自車両１の周囲の画像データが受信された場合に、受信した自車両１の周囲の画像データを、メモリ３６０に記憶する。これにより、運転者が居眠りしている際の自車両１の周囲の画像を、携帯通信端末３００に記憶することができる。
【００３８】
端末制御装置３４０の報知機能は、運転者の居眠りに対する警告を報知する。たとえば、報知機能は、携帯通信端末３００のディスプレイ３５０に、居眠りを防止するための警告を表示し、また、携帯通信端末３００が備えるスピーカー（不図示）から、居眠りを防止するための音声を出力することで、運転者の居眠りに対する警告を報知する。
【００３９】
次に、サーバー４００について説明する。サーバー４００は、自車両１の外部に設置され、電話回線網を介して携帯通信端末３００と無線通信を行うことで、携帯通信端末３００を介して、自車両１の位置情報を含むプローブ情報を取得する。そして、サーバー４００は、このように複数の車両から受信したプローブ情報を収集することで、自車両１を含む複数の車両に、各種交通情報を適切に提供することができる。
【００４０】
続いて、図２を参照して、本実施形態に係る通信制御処理について説明する。図２は、本実施形態に係る通信制御処理を示すフローチャートである。なお、以下に説明する通信制御処理は、携帯通信端末３００の端末制御装置３４０により実行される。
【００４１】
まず、ステップＳ１０１では、車両情報取得機能により、プローブ情報および運転者の覚醒情報の取得が行われる。具体的には、車両情報取得機能は、Ｂｌｕｅｔｏｏｔｈなどの通信方式により車載装置１００と無線接続することで、自車両１の位置情報を含むプローブ情報と運転者の覚醒状態を示す覚醒情報を車載装置１００から取得する。
【００４２】
ステップＳ１０２では、第１通信機能により、電話通信網を利用してサーバー４００と無線通信を行う第１無線通信により、ステップＳ１０１で取得されたプローブ情報がサーバー４００に送信される。これにより、サーバー４００は、自車両１の位置情報を含むプローブ情報を、携帯通信端末３００から受信することができる。
【００４３】
ステップＳ１０３では、制御機能により、ステップＳ１０１で取得された運転者の覚醒情報に基づいて、運転者が居眠り状態に変化したか否かの判断が行われる。運転者が居眠り状態に変化していない場合には、ステップＳ１０１に戻り、携帯通信端末３００からサーバー４００に対してプローブ情報を送信する処理が繰り返される。一方、運転者が居眠り状態に変化した場合には、ステップＳ１０４に進む。
【００４４】
ステップＳ１０４では、制御機能により、電話回線網を利用してサーバー４００と無線通信を行う第１無線通信から、ＷｉＦｉ規格の無線ＬＡＮを利用して車載カメラ装置２００と無線通信を行う第２無線通信への切り替えが行われる。これにより、ステップＳ１０５では、第２通信機能により、運転者の顔画像データおよび自車両１の周囲の画像データが、ＷｉＦｉなどの無線ＬＡＮを利用した第２無線通信により、周期的に車載カメラ装置２００から受信される。
【００４５】
そして、ステップＳ１０６では、記憶機能により、ステップＳ１０５で受信した自車両１の周囲の画像データが、携帯通信端末３００のメモリ３６０に記憶される。また、ステップＳ１０７では、表示機能により、ステップＳ１０５で受信した運転者の顔画像が、ディスプレイ３５０のディスプレイ画面に表示される。これにより、運転者の注意を喚起することができる。さらに、ステップ１０７においては、報知機能より、運転者の居眠りを防止するための警告が報知される。
【００４６】
そして、ステップＳ１０８では、制御機能により、運転者が居眠り状態から回復したか否かの判断が行われる。本実施形態において、携帯通信端末３００は、ステップＳ１０１以降においても、車載装置１００から運転者の覚醒情報を繰り返し取得しており、制御機能は、最新の覚醒情報に基づいて、運転者が居眠り状態であるか否かを判断する。そして、運転者が居眠り状態ではなく、運転者が居眠り状態から回復していると判断できた場合には、ステップＳ１０９に進む。一方、運転者が居眠り状態のままである場合には、ステップＳ１０５に戻り、運転者の顔画像データおよび自車両１の周囲の画像データの受信、受信した画像データに基づく画像の表示および記憶を繰り返し実行する。なお、ステップＳ１０８においては、運転者の居眠り状態が検出されてから一定時時間が経過している場合に、ステップＳ１０９に進む構成としてもよい。
【００４７】
ステップＳ１０９では、運転者が居眠り状態から回復しているため、制御機能により、車載カメラ装置２００と無線通信を行う第２無線通信から、サーバー４００と無線通信を行う第１無線通信への切り替えが行われる。これにより、ステップＳ１１０では、第１通信機能により、運転者が居眠り状態であった際に撮像された自車両１の周囲の画像データと、自車両１の位置情報を含むプローブ情報とが、電話回線網を介して、サーバー４００に送信される。
【００４８】
以上のように、本実施形態では、運転者の居眠り状態を検出した場合に、携帯通信端末３００の無線通信を、電話回線網を利用してサーバー４００と無線通信を行う第１無線通信から、ＷｉＦｉ規格の無線ＬＡＮを利用して車載カメラ装置２００と無線通信を行う第２無線通信へと切り替える。これにより、運転者が居眠りをしている場合に、居眠りをしている運転者の顔画像データおよび自車両１の周囲の画像データを、車載カメラ装置２００から適切に受信することができる。また、車載カメラ装置２００から受信した運転者の顔画像データを、ディスプレイ３５０に表示することで、運転者の注意を喚起することができる。
【００４９】
また、本実施形態では、運転者が居眠り状態から回復した場合に、車載カメラ装置２００と無線通信を行う第２無線通信から、サーバー４００と無線通信を行う第１無線通信に切り替えて、運転者が居眠り状態であった際に撮像された自車両１の周囲の画像データをサーバー４００に送信する。これにより、サーバー４００は、転者が居眠り状態であった際に撮像された自車両１の周囲の画像データを携帯通信端末３００から適切に受信することができる。その結果、サーバー４００のオペレーターは、運転者が居眠り状態であった際に撮像された自車両１の周囲の画像データに基づいて、運転者が居眠り状態であって際の状況をより正確に把握することができる。
【００５０】
また、本実施形態では、運転者が居眠り状態でない間は、電話回線網を利用する第１無線通信が実行される。ここで、第１無線通信は、第２無線通信と比べて、携帯通信端末３００のバッテリ消費量が少ないため、運転者が居眠り状態である場面を除いて、電話回線網を利用する第１無線通信を行うことで、携帯通信端末３００のバッテリ消費量の低減を防止することができる。また、携帯通信端末３００は、運転者が居眠り状態である場面を除いて、電話回線網を利用する第１無線通信を行うことで、電話やメールなどの電話回線網を利用するサービスの使用機会を確保することもできる。
【００５１】
以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００５２】
たとえば、上述した実施形態では、車載装置１００において、運転者の覚醒状態を検出する構成を例示したが、この構成に限定されず、たとえば、携帯通信端末３００において、運転者の覚醒状態を検出する構成とすることができる。この場合、携帯通信端末３００は、たとえば、車載カメラ装置２００から運転者の顔画像を取得することで、運転者の覚醒状態を検出することができる。
【００５３】
また、上述した実施形態では、携帯通信端末３００を、車載カメラ装置２００およびサーバー４００と無線通信を行う通信装置として例示して本発明を説明したが、この構成に限定されず、たとえば、車両１に搭載された車載装置１００を、車載カメラ装置２００およびサーバー４００と無線通信を行う通信装置として用いる構成としてもよい。すなわち、この場合、車載装置１００は、電話回線網を利用してサーバー４００と第１無線通信を行う電話通信装置と、ＷｉＦｉ規格の無線ＬＡＮを利用して車載カメラ装置２００と第２無線通信を行うＷＬＡＮ通信装置とを備え、運転者が居眠り状態に変化した場合に、第１無線通信から第２無線通信に切り替える構成とすることができる。
【００５４】
さらに、上述した実施形態では、運転者の覚醒状態に基づいて、運転者が居眠り状態であるか否かを判断し、運転者が居眠り状態である場合に、第１無線通信から第２無線通信へと切り替える構成を例示したが、この構成に限定されず、たとえば、運転者が発作や意識喪失などを生じたか否かを判断し、運転者が発作や意識喪失などを生じている場合に、第１無線通信から第２無線通信へと切り替える構成としてもよい。
【００５５】
さらに、上述した実施形態では、携帯通信端末３００が、運転者の顔画像データおよび自車両１の周囲の画像データを車載カメラ装置２００から受信する構成を例示したが、この構成に限定されず、たとえば、運転者の顔画像データおよび自車両１の周囲の画像データのうち一方を車載カメラ装置２００から受信する構成としてもよい。また、運転者が居眠り状態であった場合に、自車両１の周囲の画像をディスプレイ３５０に表示させる構成としてもよいし、あるいは、運転者が居眠り状態であった場合に、運転者の顔画像をサーバー４００に送信させる構成としてもよい。この場合、たとえば、第１無線通信を介して、サーバー４００のオペレーターにより、運転者を居眠り状態から回復するように声をかけることができる。
【００５６】
なお、上述した端末制御装置３４０は本発明の取得手段、制御手段、および提示手段に、車載カメラ装置２００は本発明の車載通信機器に、車載装置１００は本発明の車載機器に、それぞれ相当する。
【符号の説明】
【００５７】
１００…車載装置
１１０…自車位置検出装置
１２０…車載制御装置
１３０…車両側ＢＴ通信装置
１６０…覚醒状態検出装置
２００…車載カメラ装置
２１０…カメラ
２２０…カメラ制御装置
２３０…カメラ側ＷｉＦｉ通信装置
３００…携帯通信端末
３１０…端末側ＢＴ通信装置
３２０…端末側ＷｉＦｉ通信装置
３３０…端末側電話通信装置
３４０…端末制御装置
３５０…ディスプレイ
３６０…メモリ
４００…サーバー
【図１】
0006337710.tif 000002
【図２】
0006337710.tif 000003